(57)【特許請求の範囲】
【請求項１】
電気集じん装置の放電極を槌打するハンマ部と、前記ハンマ部が一端側に設けられたアーム部と、前記アーム部の他端側に設けられた爪部と、を備えるハンマと、
前記ハンマを槌打させるために回転して持ち上げ、前記ハンマが前記放電極を槌打するときに揺動するように前記アーム部を支持する駆動軸と、
前記爪部に対面する位置に配設され、前記爪部と当接することにより前記駆動軸に対する前記ハンマの揺動範囲を規制する規制手段と、
を備え、
前記駆動軸は、所定方向に回転して前記ハンマを持ち上げ、所定角度まで回転するとその駆動が解除されて前記ハンマの自重により前記所定方向と反対方向に回転して前記ハンマを落下させ、
前記規制手段は、前記ハンマが落下するときに前記ハンマが前記放電極まで到達するように前記ハンマの揺動範囲が設定されている、
ことを特徴とする電気集じん装置の放電極槌打装置。
【請求項２】
前記規制手段は、前記ハンマが自重により落下した際に、鉛直下方より前記放電極側まで揺動可能となるように前記爪部との間に空間部が形成されている、
ことを特徴とする請求項１に記載の電気集じん装置の放電極槌打装置。
【請求項３】
前記規制手段は、湾曲して空間部が形成されている、
ことを特徴とする請求項２に記載の電気集じん装置の放電極槌打装置。
【発明の詳細な説明】
【技術分野】
【０００１】
この発明は、電気集じん装置の放電極槌打装置の一部の放電極槌打ハンマを交換した場合であっても、取り付け時の調整不要で適切に槌打する電気集じん装置の放電極槌打装置に関する。
【背景技術】
【０００２】
例えば、火力発電所に配設されている電気集じん装置においては、放電極を槌打ハンマによってハンマリングすることにより放電極に付着したダストを払い落す電気集じん装置の放電極槌打装置が配設されている。具体的には、電気集じん装置は複数の放電極が並んで配設されおり、電気集じん装置の放電極槌打装置には各放電極と対応するように複数の槌打ハンマが駆動軸上に並んで配設されている。そして、電気集じん装置の放電極槌打装置は、駆動源によって駆動軸が回転することによって各槌打ハンマは揺動して持ち上げられ、所定位置（最高点）に達すると自重により落下して各放電極を同時に槌打するように駆動源や駆動軸が調節されている。
ところで、集塵極からのダストの剥離特性を改善して集塵効率を高める電気集塵装置に関する技術が提案されている（例えば、特許文献１参照。）。この電気集塵装置は、放電極に対して電気的に接続される放電極側接点と、ハンマの落下より早いタイミングで落下し、落下の最中に放電極側接点に近接して放電極を地落させることが可能な地落側接点と、を設けるものである。また、放電極に付着したダストを効率良く払い落として、集塵効率を向上させる電気集塵装置に関する技術が提案されている（例えば、特許文献２参照。）。この電気集塵装置は、地落側接点と、放電極に対して電気的に接続され、放電極用ハンマの落下動作と連動して地落側接点に近接して放電極を地落させること放電極側接点と、を設けるようにするものである。
【先行技術文献】
【特許文献】
【０００３】
【特許文献１】特開２００２−２００４３８号公報
【特許文献２】特開２００２−２４８３７６号公報
【発明の概要】
【発明が解決しようとする課題】
【０００４】
ところで、電気集じん装置の放電極槌打装置の槌打ハンマは経年劣化により交換が必要となり、既設の槌打ハンマと、仕様が異なる新しい槌打ハンマとが混在することとなる。電気集じん装置の放電極槌打装置は、既設ハンマが最高点から自重で落下した際に放電極に到達するように、駆動源や駆動軸が調整されているので、新しいハンマに交換した場合には放電極を適切に槌打するように現場で調整が必要であった。このような調整作業は、作業者の熟練度に依存してしまうものであった。
【０００５】
また、電気集じん装置の放電極槌打装置は経年劣化により、駆動源や駆動軸にわずかなずれを生じる。このため、新しい槌打ハンマは、自重によって落下した際の落下位置にわずかなずれが生じて放電極まで到達しなくなるおそれがあった。
【０００６】
しかしながら、特許文献に記載されたいずれの技術であっても、既設の槌打ハンマと、仕様が異なる新しい槌打ハンマとが混在した場合は、新しいハンマが放電極を適切に槌打するように現場で調整が必要となってしまう。また、経年劣化により駆動源や駆動軸にずれを生じた際にも、新しいハンマが放電極を適切に槌打するように調整が必要となってしまう。
【０００７】
そこで、この発明は、前記の課題を解決し、電気集じん装置の放電極槌打装置の一部を交換した場合であっても、適切に槌打する取り付け時の調整不要な電気集じん装置の放電極槌打装置を提供することを目的としている。
【課題を解決するための手段】
【０００８】
前記の課題を解決するために、請求項１の発明は、電気集じん装置の放電極を槌打するハンマ部と、前記ハンマ部が一端側に設けられたアーム部と、前記アーム部の他端側に設けられた爪部と、を備えるハンマと、前記ハンマを槌打させるために回転して持ち上げ、前記ハンマが前記放電極を槌打するときに揺動するように前記アーム部を支持する駆動軸と、前記爪部に対面する位置に配設され、前記爪部と当接することにより前記駆動軸に対する前記ハンマの揺動範囲を規制する規制手段と、を備え、前記駆動軸は、所定方向に回転して前記ハンマを回転方向に持ち上げ、所定角度まで回転するとその駆動が解除されて前記ハンマの自重により前記所定方向と反対方向に回転して前記ハンマを落下させ、前記規制手段は、前記ハンマが落下するときに前記ハンマが前記放電極まで到達するように前記ハンマの揺動範囲が設定されている、ことを特徴とする電気集じん装置の放電極槌打装置である。
【０００９】
この発明によれば、規制手段は、駆動軸が所定方向に回転すると、ハンマの揺動を規制して駆動軸の周りに持ち上げ、駆動軸が所定位置まで回転すると、ハンマの規制を解除して反対方向に回転して自重により落下させ、ハンマが放電極まで到達する。
【００１０】
請求項２の発明は、請求項１に記載の電気集じん装置の放電極槌打装置において、前記規制手段は、前記ハンマが自重により落下した際に、鉛直下方より前記放電極側まで揺動可能となるように前記爪部との間に空間部が形成されている、ことを特徴とする。
【００１１】
請求項３の発明は、請求項２に記載の電気集じん装置の放電極槌打装置において、前記規制手段は、湾曲して空間部が形成されている、ことを特徴とする。
【発明の効果】
【００１２】
請求項１に記載の発明によれば、規制手段は、ハンマが自重により落下する際に放電極まで到達するようにハンマの揺動範囲を設定しているので、既設の槌打ハンマと、仕様が異なる新しい槌打ハンマとが混在した場合であっても、新しいハンマが放電極を適切に槌打することができる。すなわち、既設の槌打ハンマと、仕様が異なる新しい槌打ハンマとが混在した場合であっても特別な調整が不要であるので、手間と時間とを削減することができる。
【００１３】
請求項２に記載の発明によれば、規制手段は、ハンマが自重により落下した際に、鉛直下方より放電極側まで揺動可能となるようにハンマとの間に空間部が形成されているので、簡易な構成で新しいハンマが放電極を適切に槌打することができるようになっている。これにより、容易に取り付けることができる。また、空間部の大きさを調節することによって、どのような電気集じん装置の放電極槌打装置にも取り付けることができる。
【００１４】
請求項３に記載の発明によれば、規制手段は、湾曲して空間部が形成されているので、加工が容易である。つまり、規制手段を現場で調整することが不要であるので、より容易に電気集じん装置の放電極槌打装置に取り付けることができる。
【図面の簡単な説明】
【００１５】
【図１】この発明の実施の形態に係る電気集じん装置の放電極槌打装置の斜視図である。
【図２】図１の電気集じん装置の放電極槌打装置を示す正面図である。
【図３】図１の電気集じん装置の放電極槌打装置を示す側面図である。
【図４】図１の電気集じん装置の放電極槌打装置を示す側面図であり、駆動軸が回転し槌打ハンマが持ち上がる状態を示している。
【図５】図１の電気集じん装置の放電極槌打装置を示す側面図であり、駆動軸が回転し槌打ハンマが持ち上がる状態を示している。
【図６】図１の電気集じん装置の放電極槌打装置を示す側面図であり、駆動軸が回転し槌打ハンマが最高点まで持ち上がった状態を示している。
【図７】図１の電気集じん装置の放電極槌打装置を示す側面図であり、駆動軸が回転し槌打ハンマが最高点から落下する状態を示している。
【図８】従来の槌打ハンマを示す側面図である。
【図９】図１の電気集じん装置の放電極槌打装置が設置された状態を示す正面図である。
【発明を実施するための形態】
【００１６】
以下、この発明を図示の実施の形態に基づいて説明する。
【００１７】
図９は、電気集じん装置（図示略）に、電気集じん装置の放電極槌打装置１が設置された状態を示す正面図である。この電気集じん装置の放電極槌打装置１は、駆動源（図示略）によって回転する駆動軸１００に、複数の既設の槌打ハンマ（既設ハンマ）２００と、新しい槌打ハンマ（ハンマ）２とが混在した状態で配設されている。これらの既設ハンマ２００と新ハンマ２とは、電気集じん装置の放電極１１０に対応するように駆動軸１００に所定間隔で配設されている。この実施の形態においては、既設ハンマ２００と新ハンマ２とは、駆動軸１００が反時計回り（図中矢印方向）に回転することによって最高点まで持ち上げられ、自重によって時計回りに円弧上に落下して、同時に各放電極１１０を槌打するようになっている。
【００１８】
既設ハンマ２００は、電気集じん装置の放電極１１０を槌打するものであり、図８、図９に示すように、長方形の取付板２０１、２０２の下端部によってハンマ部２１０が狭持された状態で、締結部材２１１、２１２によって固定されているものである。既設ハンマ２００は、支持金具３００に揺動軸２０３を介して揺動自在に配設されている。支持金具３００は、固定ピン３０１によって駆動軸１００に固定されており、駆動軸１００とともに回動するようになっている。ストッパ４００は、取付板２０１、２０２の上端部の放電極１１０側に配設されている。このような既設ハンマ２００は、駆動軸１００が反時計回りに回転すると、ハンマ部２１０がストッパ４００と当接することによって持ち上げられて、最高点まで持ち上げられる。そして、ハンマ部２１０が最高点に到達すると、自重によって時計回りに円弧を描きながら落下して、放電極１１０を槌打する。
【００１９】
新ハンマ２は、電気集じん装置の放電極１１０を槌打するものであり、既設ハンマ２００が経年劣化などした際に交換されるものである。新ハンマ２は、図１ないし図３に示すように、振り子状に形成されており、主として、ハンマ部２１と、アーム部２２と、揺動軸２３Ａ、２３Ｂ（図示略）と、爪部２４を備えている。ハンマ部２１は、所定の厚さを有する円板状に形成されており、外周面部が放電極１１０を槌打可能となるように配設されている。揺動軸２３Ａ、２３Ｂは、図３において、アーム部２２から前方側に水平に形成された揺動軸２３Ａと、アーム部２２から後方側に水平に形成された揺動軸２３Ｂとによって構成されている。揺動軸２３Ａ、２３Ｂによって、ハンマ部２１は、支持金具３に対して揺動自在となっている。爪部２４は、アーム部２２の上側で、揺動軸２３Ａ、２３Ｂより上方に形成されている。新ハンマ２を電気集じん装置の放電極槌打装置１に取り付けた状態では、爪部２４が後述するストッパ４の湾曲板４１の内周面と当接することによって新ハンマ２の揺動範囲を規制するようになっている。
【００２０】
新ハンマ２は、この実施の形態においては、図３に示すように、駆動軸１００の鉛直下方に新ハンマ２の揺動軸２３Ａ、２３Ｂが位置し、新ハンマ２と支持金具３が鉛直下方に延びた状態で、ハンマ部２１が放電極１１０を槌打するように取り付けられている。
【００２１】
支持金具３は、図１ないし図３に示すように、２つ割れに形成されており、駆動軸１００を挿通可能な第１の挿通部３１と、第１の挿通部３１の軸方向と平行に形成され、新ハンマ２の揺動軸２３Ａ、２３Ｂをそれぞれ挿通可能な第２の挿通部３２Ａ、３２Ｂと、第１の挿通部３１と第２の挿通部３２Ａ、３２Ｂとの間に形成された平面部３３を有している。第１の挿通部３１には駆動軸１００が挿通されており、第２の挿通部３２Ａには新ハンマ２の揺動軸２３Ａが挿通されており、第２の挿通部３２Ａには揺動軸２３Ｂが挿通された状態で、後述するストッパ４の締結ボルト４２、４３によって締結されている。このとき、第２の挿通部３２Ａと第２の挿通部３２Ｂの間には、アーム部２２の基端部２２Ａが位置し、第２の挿通部３２Ａと第２の挿通部３２Ｂの上方には、爪部２４が突出している。支持金具３は、駆動軸１００の回転とともに回転し、この支持金具３に対して新ハンマ２が揺動自在に配設されている。
【００２２】
規制手段としてのストッパ４は、駆動軸１００に対する新ハンマ２の揺動範囲を規制するものであり、図１に示すように、長方形の平板の中央部を湾曲するように加工した湾曲板４１を有しており、湾曲板４１の内面側にはスペースＳが形成されている。この湾曲板４１は、図３に示すように、支持金具３の平面部３３の放電極１１０と反対側に配設されている。
【００２３】
スペースＳは、新ハンマ２の爪部２４の揺動範囲を規制するものであり、湾曲板４１が支持金具３に取り付けられた状態では、スペースＳ内にハンマ２の爪部２４を収容可能となっており、爪部２４はハンマ２の揺動とともにスペースＳ内を揺動可能となっている。具体的には例えば、図３において、駆動軸１００が反時計回り（図中矢印方向）に回転しようとした場合には、爪部２４が湾曲板４１内のスペースＳを図中時計回りに右方に揺動して内周面と当接したところで爪部２４の揺動が規制されて、新ハンマ２のハンマ部２１が駆動軸１００の回転とともに最高点まで持ち上げられるようになっている。また、図３において、新ハンマ２のハンマ部２１が、揺動軸２３Ａ、２３Ｂを軸として図中時計回りに左方に揺動しようとした場合には、爪部２４が湾曲板４１内のスペースＳを図中時計回りに右方に揺動して内周面と当接したところで爪部２４の揺動が規制されるようになっている。
【００２４】
スペースＳは、駆動軸１００が所定方向に回転すると、新ハンマ２の揺動を規制して駆動軸１００の周りに持ち上げ、駆動軸１００が所定角度まで回転すると、新ハンマ２の規制を解除して自重により落下させ、新ハンマ２が鉛直下方より放電極１１０側まで到達するようにスペースＳの大きさ、形状が設定されている。
【００２５】
次に、このような構成の電気集じん装置の放電極槌打装置１の動作について説明する。
【００２６】
電気集じん装置の放電極槌打装置１は、既設ハンマ２００が最高点から自重で落下した際に放電極１１０まで到達するように、駆動源や駆動軸１００の位置や角度などが調節されている。電気集じん装置の放電極槌打装置１において既設ハンマ２００に経年劣化したものが発見されると、劣化した既設ハンマ２００が取り外されて、図９に示すように新ハンマ２と交換される。このとき、図３に示すように、駆動軸１００の鉛直下方に新ハンマ２の揺動軸２３Ａ、２３Ｂが位置し、新ハンマ２が鉛直下方に延びた状態で、ハンマ部２１が放電極１１０を槌打するように取り付けられる。
【００２７】
その後、所定時間間隔で、駆動源によって駆動軸１００が反時計回りに回転される。図４に示すように、駆動軸１００が反時計回りに約３０°回転した状態では、支持金具３は駆動軸１００とともに反時計回りに回動されて、第２の挿通部３２Ａ、３２Ｂに挿通された揺動軸２３Ａ、２３Ｂが持ち上げられる。このとき、爪部２４は湾曲板４１の内周面と当接していないため、アーム部２２はフリーとなっており、ハンマ部２１は揺動軸２３Ａ、２３Ｂから自重によって鉛直下方に吊下げられている。
【００２８】
そして、図５に示すように、駆動軸１００が反時計回りに約９０°回転した状態では、支持金具３は駆動軸１００とともに反時計回りに回動されて、第２の挿通部３２Ａ、３２Ｂに挿通された揺動軸２３Ａ、２３Ｂを介して、新ハンマ２が持ち上げられる。このとき、爪部２４が湾曲板４１の内周面と当接しており、新ハンマ２は揺動が規制されている。
【００２９】
そして、図６に示すように、駆動軸１００が反時計回りに約１８０°回転した状態では、支持金具３は駆動軸１００とともに反時計回りに回動されて、第２の挿通部３２Ａ、３２Ｂに挿通された揺動軸２３Ａ、２３Ｂを介して、新ハンマ２が最高点まで持ち上げられる。このとき、爪部２４が湾曲板４１の内周面と当接しており、新ハンマ２は揺動が規制されている。
【００３０】
また、このとき、駆動軸１００に配設された他の既設ハンマ２００と新ハンマ２も、同時に最高点に到達している。
【００３１】
そして、図７に示すように最高点に達した新ハンマ２は規制が解除されて、ハンマ部２１の自重によって時計回りに円弧を描きながら落下し、放電極１１０が槌打される。ここで、ハンマ部２１が放電極１１０を槌打する際は、ストッパ４の湾曲板４１のスペースＳは、放電極１１０と反対側に膨らんでいるため、爪部２４が右方に揺動可能となっているので、ハンマ部２１が鉛直下方よりも放電極１１０側まで揺動できるようになっている。つまり、駆動軸１００にわずかなずれが生じてしまい、新ハンマ２が放電極１１０まで到達しないようになっているような場合であっても、ハンマ部２１が放電極１１０側まで揺動して到達できるようになっている。
【００３２】
このように、電気集じん装置の放電極槌打装置１は、所定時間間隔で駆動源によって駆動軸１００が反時計回りに所定角度まで回転されるように制御され、既設ハンマ２００や新ハンマ２によって同時に放電極１１０が槌打されることが繰り返される。
【００３３】
以上のように、この電気集じん装置の放電極槌打装置１によれば、ストッパ４は、新ハンマ２が自重により落下する際に放電極１１０まで到達するように新ハンマ２の揺動範囲を設定しているので、既設ハンマ２００と、仕様が異なる新ハンマ２とが混在した場合であっても、新ハンマ２が放電極１１０を適切に槌打することができる。すなわち、既設ハンマ２００と新ハンマ２とが混在した場合であっても特別な調整が不要であるので、手間と時間とを削減することができる。
【００３４】
また、ストッパ４によって、新ハンマ２が自重により落下した際に、鉛直下方より放電極１１０側まで揺動可能となるように新ハンマ２との間にスペースＳが形成されるので、簡易な構成で新ハンマ２が放電極１１０を適切に槌打することができるようになっている。これにより、電気集じん装置の放電極槌打装置１において既設ハンマ２００に経年劣化して新ハンマ２と交換する際には、現場における調整が不要であるので、作業者の熟練度によらず誰でも容易に交換することができる。また、湾曲板４１のスペースＳの大きさを調節することによって、どのような電気集じん装置の放電極槌打装置１にも取り付けることができる。例えば、電気集じん装置の放電極槌打装置１の駆動軸１００に生じるずれが大きい場合には、湾曲板４１を大きく湾曲した形状に加工してスペースＳを大きくすることで、新ハンマ２が放電極１１０を適切に槌打するようにすることができる。
【００３５】
さらに、ストッパ４は、長方形の平板の中央部を湾曲するように加工してスペースＳが形成されているので、加工が容易である。
【００３６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、湾曲板４１によって爪部２４との間にスペースＳを形成するようにして説明したが、爪部２４との間にスペースＳを形成するものであれば湾曲板４１に限定されないことはもちろんである。例えば、ストッパ４を、長方形の（湾曲していない）押さえ板と、押さえ板と支持金具３の平面部３３との間に配設するスペーサーによって構成し、このスペーサーによってストッパ４と爪部２４との間にスペースＳを形成するようにしてもよい。
【符号の説明】
【００３７】
１              電気集じん装置の放電極槌打装置
２              新ハンマ（ハンマ）
２１            ハンマ部
２２            アーム部
２４            爪部
３              支持金具
４              ストッパ（規制手段）
４１            湾曲板
Ｓ              スペース（空間部）
１００          駆動軸
１１０          放電極
２００          既設ハンマ（既設のハンマ）
【図１】
0006038760.tif 000002
【図２】
0006038760.tif 000003
【図３】
0006038760.tif 000004
【図４】
0006038760.tif 000005
【図５】
0006038760.tif 000006
【図６】
0006038760.tif 000007
【図７】
0006038760.tif 000008
【図８】
0006038760.tif 000009
【図９】
0006038760.tif 000010